(57)【要約】   本発明は、ステータ部材（１）内にロータ部材（２）を回転可能に支持するための、タービン又はコンプレッサエンジン内の支持構造部及びその構造部の組み立て方法に関する。支持構造部は、内側リングと、外側リングと、内側リング及び外側リング間に半径方向に延在する複数のストラット（１５）とを備える。内側リングは、ストラットの方向に突出してストラット用の端部接続部を形成する一体型部分を有する。内側リングの一体型端部接続部分（１９）はリングと共に、最初に対応のストラットの断面寸法より大きめの断面寸法を有する金属合金を鋳造し、少なくとも１つの横表面の材料除去加工を施す。各対応のストラット（１５）の断面寸法及び適正位置に一致するための最終寸法及び位置を達成することを目的とする。【選択図】図５
2008500488.tif 000002
【特許請求の範囲】
【請求項１】
ステータ部材（１）内にロータ部材（２）を回転可能に支持するための、タービン又はコンプレッサエンジン内の支持構造部において、内側リング（１３）と、外側リング（１４）と、内側リング及び外側リング間に半径方向に延在する複数のストラット（１５）とを備え、リングの少なくとも一方が、ストラットの方向に突出してストラット用の端部接続部を形成する一体型部分を有する、支持構造部であって、本リング（複数可）の前記一体型端部接続部分（１９）はリングと共に、最初に対応のストラットの断面寸法より大きめの断面寸法を有する金属合金を鋳造し、少なくとも１つの横表面の材料除去加工であって、それにより、各対応のストラットの断面寸法及び適正位置に一致するための最終寸法及び位置を達成できるようにする、材料除去加工を施すことによって形成されることを特徴とする、支持構造部。
【請求項２】
前記ストラット（１５）及び端部接続部分（１９）は、壁（２６、２７、３０）によって包囲されたダクト（２１、２２）を有し、前記壁は、最終寸法及び位置決めが得られるように、外側及び／又は内側が加工されることを特徴とする、請求項１に記載の支持構造部。
【請求項３】
フラップエーロフォイル（２５）が、１つ又は幾つかのストラット（１５）の下流側に回動式に取り付けられる、請求項１又は２に記載の支持構造部。
【請求項４】
ステータ部材（１）内にロータ部材（２）を回転可能に支持するための、タービン又はコンプレッサエンジン内の支持構造部であって、内側リング（１３）と、外側リング（１４）と、内側リング及び外側リング間に半径方向に延在する複数のストラット（１５）とを備え、リングの少なくとも一方が、ストラットの方向に突出してストラット用の端部接続部分（１９、４１）を形成する一体型部分を有する、支持構造部を組み立てる方法であって、本リング（複数可）の前記一体型端部接続部分（１９、４１）をリングと共に、最初に対応のストラット（１５）の断面寸法（ｂ）より大きめの断面寸法（ａ／ｃ）を有する金属合金によって鋳造し、それに続いて、少なくとも１つの横表面（３５〜３８）の材料除去加工であって、それにより、各対応のストラットの断面寸法（ｂ）及び適正位置に一致するための最終寸法及び位置を達成できるようにする、材料除去加工を施すことを特徴とする方法。
【請求項５】
前記材料除去加工は、放電加工（ＥＤＭ）によって行われることを特徴とする、請求項４に記載の方法。
【請求項６】
前記材料除去加工は、電解加工（ＥＣＭ）によって行われることを特徴とする、請求項４に記載の方法。
【請求項７】
前記端部接続部分（１９）は、内側リング（１３）の半径方向外向き突出部分であることを特徴とする、請求項４に記載の方法。
【請求項８】
前記ストラット（１５）は、壁部分（２６〜２９）によって包囲されたダクト（２１、２２）を備えており、壁部分（２６〜２９）の横表面（３５〜３８）の少なくとも２つが、外側面（３５、３６）及び内側面（３７、３８）であることを特徴とする、請求項４に記載の方法。
【請求項９】
各端部接続部分（１９）の前記横表面（３５〜３８）は、両外側面（３５、３６）及び向き合った内側面（３７、３８）であることを特徴とする、請求項８に記載の方法。
【発明の詳細な説明】
【技術分野】
【０００１】
本発明は、請求項１の前文に従ったタービン又はコンプレッサ装置内の支持構造部に関する。
【０００２】
本発明はさらに、請求項４の前文に従った、そのような支持構造部の組み立て方法に関する。
【０００３】
タービン装置という用語は、流動する流体（ガス、蒸気又は液体）内に存在するエネルギーをブレード又はベーンによって回転エネルギーに変換する装置を意味するものとする。コンプレッサ装置という用語は、逆の機能を有する、すなわち回転エネルギーをブレード又はベーンによって流体内の運動エネルギーに変換する装置を意味するものとする。装置は、互いに相互作用するロータ及びステータを備える。
【０００４】
以下の説明では、装置はタービン装置を有し、これはガスタービンの一部を形成している。これは好適であるが、決して本発明の制限的な用途ではない。ガスタービンという用語は、少なくともタービンホイール及びそれによって駆動されるコンプレッサホイールを燃焼室と共に有するユニットを意味するものとする。ガスタービンは、たとえば車両及び航空機のエンジンとして、船用の原動機として、また発電所で発電するために使用される。
【０００５】
ロータは、半径方向ロータ及び軸方向ロータの両方の形をとることができる。
【０００６】
本明細書において細長いロータ部材という用語は、ロータ軸と、ロータ軸を中心にして回転するようにした、軸受けや軸受け及び歯車間のスペーサなどのさらなる構成部品を意味するものとする。
【背景技術】
【０００７】
タービン又はコンプレッサ内のステータ部材内にロータ部材を支持すると共に、エンジン内を通るガスの必要な高速流を可能にするために、支持構造部は、多数の半径方向内側及び外側支持リングを備え、内側及び外側リングは、半径方向に延びたストラットによって相互連結されている。たとえば特許文献１に示されているように、ストラットの少なくとも一部の下流側に、フラップエーロフォイルが配置されており、ストラット及び対応のフラップ間の相互関係には、ストラットの完全な位置決めが必要である。さまざまな理由から、内側及び外側支持リングは、金属合金の鋳造によって個別部品として製造されることが好ましい。ストラットは、金属合金押し出し成形により、又は個別部品として板金から形成し、それらを各端部で内側リング及び外側リングと溶接又はろう付けすることによって組み立てることにより製造されることができる。しかしながら、鋳造には通常、大きい許容誤差や、フラップエーロフォイルに対するストラットの正確な位置決めに関する問題が伴う。
【特許文献１】米国特許第６６１９９１６号明細書
【発明の開示】
【０００８】
本発明の目的は、内側及び外側リング間にストラットを正確に位置決めすることができる支持構造部を提供することである。
【０００９】
この目的は、請求項１の特徴部分に従った支持構造部によって達成される。
【００１０】
この目的はさらに、請求項４の特徴部分に従った支持構造部の組み立て方法によって達成される。
【００１１】
内側及び／又は外側リングの大きめの一体型突出部分を形成し、各ストラットの正確な位置を決定し、その後、突出部分をその位置及び寸法に関して、各突出部分の一部の材料除去加工によって最終的に決定することができる。
【００１２】
添付の図面に示されているような実施形態を参照しながら、本発明をより詳細に説明する。
【発明を実施するための最良の形態】
【００１３】
図１は、ステータ１と、ステータ内に回転可能に軸支されたロータ２とを有するガスタービンを示す。ステータは、多数のファンからなるファンユニット３、多数のコンプレッサ段落からなるコンプレッサユニット４、燃焼室５、及び多数のタービンからなるタービンユニット６などの、本質的に既知のさまざまなユニットからなり、かつそれらを包囲している。ステータは、入口端部８及び出口端部９を有する管状ハウジング７を備える。ステータはさらに、ロータ２を支持するための支持構造部１０、１１を備える。たとえば、支持構造部は、入口端部に入口部分１０を形成し、出口端部９に出口部分１１を形成することができる。２つの支持構造部１０、１１は、さらなる支持構造部と組み合わされて、すべての支持構造部が、ロータの回転軸１２用の軸受けを支持する。
【００１４】
さらに図２及び図３を参照すると、本発明による支持構造部であって、図示の実施形態の入口部分１０を形成している支持構造部が描かれており、主に半径方向内側支持リング１３及び半径方向外側支持リング１４を複数の半径方向延出ストラット１５によって相互連結して構成されている。内側リング１３、外側リング１４及び各ストラット１５は、単一ユニットとして個別に製造される。図３は、貫通穴１７を包囲し、ロータの回転軸１２用の軸受け（図示せず）のための支持部を形成する内周面１６を有する個別の内側リング１３を示す。内側リング１３はさらに、好ましくは円錐形マントル面の形状を有する外周面１８を有し、それから複数のスタブ端部１９が、各ストラット１５に対して１つずつ、半径方向外向きに突出している。スタブ端部は、内側リング１３の、さらに外側リング１４の一体型突出部分を形成している。
【００１５】
入口部分１０が、内部ダクト又はチャネル２０、２１、２２、２３を形成する中空構造を有することは、図面から明かである。外側リング内で、ダクト２０が、図１に示されているように、ステータ１の管状部分２３に当てて取り付けた状態で閉鎖される環状ダクトとして形成される。同様に、内側リング１３は、軸受けの外周部分と接してダクト２３を形成する。ストラット１５と内側リング１３及び外側リング１４から突出しているスタブ端部１９とによって、閉鎖ダクト２１、２２が形成されている。ダクトの目的は、加熱空気がストラット及び内側リングを通って流れ、それにより、ノーズコーン２４、ストラット１５、及び内側リング１３によって形成されたハブ上の着氷を防止できるようにすることである。また、図８に示されている可動フラップエーロフォイル２５上に着氷する危険性も防止されるであろう。熱エネルギーの差の結果として、外側リング１４は入口部分の残り部分より高温であり、ストラットや内側リングなどの入口部分のその他の部分と比べて膨張し、その結果、構造部のすべての部分が耐えなければならない応力が発生する。内側及び外側リング１３、１４の一体型部分を形成するスタブ端部１９を設けることにより、十分に高い抗張力を有する溶接結合部が得られるであろう。
【００１６】
内側リング１３は好ましくは、入口部分１０のストラット１５を位置決めするための前提条件の高い要求を満たさない許容誤差を通常伴う金属合金の鋳造物として形成される。さらに、スタブ端部１９とストラットとの間の連続的かつ段差なしの移行が、空気力学上の持続的な高い要求にとって非常に重要である。また、軽量であることも、非常に重要である。
【００１７】
上記要求を満たすために、本発明によれば、スタブ端部は、図４及び図５に破線で示されているように、スタブ端部１９の横方向寸法、すなわちストラット１５の長手方向を横切る寸法に関して、最初は大きめの寸法を有するように鋳造することによって製造される。スタブ端部及びストラットが中空構造であることにより、上記部分は、壁部分２６、２７、２８、２９、すなわち包囲壁部分と、図示の例では、ダクト２１、２２を分離する横方向仕切壁部分３０とによって構成される。仕切壁部分はスタブ端部内に示されているが、各ストラット１５内に対応の仕切壁部分が存在している。大きめの寸法という表現の意味することは、図４及び図５に示されている上記の初期横方向寸法ａ又はｃが、ロータ２の軸１２の長手軸線に対してステータの半径方向平面で見たとき、対応のストラット１５の横方向寸法ｂを明らかに超えていることである。
【００１８】
鋳造作業を完了した後、スタブ端部１９の形状及び寸法を各個別のストラット１５の形状及び寸法に適合させ、それにより、スタブ端部の端部エッジ３１とストラット１５の対応の端部エッジ３３、３４との間に連続的かつ段差のない移行が得られ、さらにストラット１５を入口部分１０内及び対応のフラップ２５に対して非常に正確に位置決めできるようにするために、入口部分の鋳造部品、すなわち、内側リング１３と、おそらくは外側リング１４とに対して、材料加工による１つ又は２つのさらなる寸法出し作業を加える。ストラットの相対位置決めを非常に小さい許容誤差で行い、それにより、フラップの背後のファンに伝搬してベーンの破壊を生じるエクサイテーションを発生させる可能性があるストラット及びフラップ間の段差を避けることが最も重要である。
【００１９】
図４は、材料をスタブ端部１９の両側面３５、３６から、またスタブ端部の向き合った内側面３７、３８からも除去することによる横方向寸法の減少及びストラットの適正位置への適応を示す。おそらく、内側面からの材料は省くことができる。
【００２０】
図５は、特にストラットの位置決めに関して考えられる最悪の許容誤差結果を有する極端な状況を示す。スタブ端部の壁２７の外側３６及びスタブ端部の対向壁２６の内側３７の一方で、比較的大量の材料が除去されるであろう。材料の除去は好ましくは、たとえば放電加工（ＥＤＭ）又は電解加工（ＥＣＭ）又はフライス加工によって行われる。ＥＤＭは、火花発生のために不導液内でパルス直流を使用して、ストラットの壁を加工する。ＥＣＭは、電気エネルギーを使用し、それにより、金属をストラットから電解溶液内へ溶解させる化学反応を生じる。
【００２１】
図６は、フライス盤又はＥＤＭ装置などのコンピュータ制御加工機４０によってスタブ端部１９の壁面から材料を除去するための固定具３９内に内側リング１３を取り付ける配置を概略的に示す。装置は、各最終表面位置決めの座標を含む入力データに基づいて、１つのスタブ端部上の、入力データから避けるすべての壁面で最終結果が達成されるまで、続いて次のスタブ端部に取り掛かるなど、すべてのスタブ端部について加工が完了するまで、動作する。ストラット１５は、材料の除去前に適正に位置決めされて、スタブ端部１９に仮留めされ、また別法として、ストラットは材料除去作業後に位置決めされて、各スタブ端部１９及び対応のストラット１５の端部エッジ３１〜３４間の接合部全体に沿って連続溶接が行われる。ストラットの外端部では、外側リング１４から内向きに突出したスタブ端部４１の間で同様の接合面が溶接される。このリング１４は通常、大きめの寸法にした後に材料加工を行う必要がない、たとえばＥＣＭによって小さい許容誤差で製造されることができる。しかしながら、原則的には本発明による同じ方法を、外側リング１４のスタブ端部にも適用することができる。
【００２２】
図８は、ストラット１５の１つの背後のフラップ２５の相対位置付けを示している。フラップ２５は、ストラットから離してステータ１の構造部に取り付けられ、図示の例では、半径方向に延びる軸線４２に対して回動式に軸支されている。さらに、ストラット及びフラップは対称的な形状又は配置にないが、それらの位置の相対関係を非常に小さい許容誤差で整えなければならないことは明かである。
【００２３】
発明をその好適な実施形態に関して図示し、説明してきたが、発明の範囲から逸脱しない限り、発明の形及び詳細に他のさまざまな変化及び省略を加えてもよいことは、当業者に理解されるであろう。
【図面の簡単な説明】
【００２４】
【図１】本発明による支持構造部を備えることができるガスタービンエンジンの概略破断図である。
【図２】支持構造部の斜視図である。
【図３】支持構造部の端面図である。
【図４】支持構造部の一部分の破断した拡大断面図である。
【図５】支持構造部の一部分の破断した拡大断面図である。
【図６】本発明による方法を達成するための装置の概略図である。
【図７】本発明の支持構造部の内側リングの一部を形成するスタブ端部分の斜視図である。
【図８】ストラット、及びストラットの下流側に配置されたフラップエーロフォイルの断面図である。
【図１】
2008500488.tif 000003
【図２】
2008500488.tif 000004
【図３】
2008500488.tif 000005
【図４】
2008500488.tif 000006
【図５】
2008500488.tif 000007
【図６】
2008500488.tif 000008
【図７】
2008500488.tif 000009
【図８】
2008500488.tif 000010
【手続補正書】
【提出日】平成18年11月28日(2006.11.28)
【手続補正１】
【補正対象書類名】明細書
【補正対象項目名】００１１
【補正方法】変更
【補正の内容】
【００１１】
内側及び／又は外側リングの大きめの一体型突出部分を形成することによって、各ストラットの正確な位置を決定し、突出部分をその位置及び寸法に関して、各突出部分の一部の材料除去加工によって最終的に決定することができる。
【手続補正２】
【補正対象書類名】明細書
【補正対象項目名】００１３
【補正方法】変更
【補正の内容】
【００１３】
図１は、ステータ１と、ステータ内に回転可能に軸支されたロータ２とを有するガスタービンを示す。ステータは、多数のファンからなるファンユニット３、多数のコンプレッサ段落からなるコンプレッサユニット４、燃焼室５、及び多数のタービンからなるタービンユニット６などの、本質的に既知のさまざまなユニットからなり、かつそれらを包囲している。ステータは、入口端部９及び出口端部８を有する管状ハウジング７を備える。ステータはさらに、ロータ２を支持するための支持構造部１０、１１を備える。たとえば、支持構造部は、入口端部に入口部分１０を形成し、出口端部９に出口部分１１を形成することができる。２つの支持構造部１０、１１は、さらなる支持構造部と組み合わされて、すべての支持構造部が、ロータの回転軸１２用の軸受けを支持する。
【手続補正３】
【補正対象書類名】明細書
【補正対象項目名】００１８
【補正方法】変更
【補正の内容】
【００１８】
鋳造作業を完了した後、スタブ端部１９の形状及び寸法を各個別のストラット１５の形状及び寸法に適合させ、それにより、スタブ端部の端部エッジ３１とストラット１５の対応の端部エッジ３３、３４との間に連続的かつ段差のない移行が得られ、さらにストラット１５を入口部分１０内及び対応のフラップ２５に対して非常に正確に位置決めできるようにするために、入口部分の鋳造部品、すなわち、内側リング１３と、おそらくは外側リング１４とに対して、材料加工による１つ又は２つのさらなる寸法出し作業を加える。ストラットの相対位置決めを非常に小さい許容誤差で行い、それにより、フラップの背後のファンに伝搬してベーンの破壊を生じる励起を発生させる可能性があるストラット及びフラップ間の段差を避けることが最も重要である。
【手続補正４】
【補正対象書類名】明細書
【補正対象項目名】００２１
【補正方法】変更
【補正の内容】
【００２１】
図６は、フライス盤又はＥＤＭ装置などのコンピュータ制御加工機４０によってスタブ端部１９の壁面から材料を除去するための固定具３９内に内側リング１３を取り付ける配置を概略的に示す。装置は、各最終表面位置決めの座標を含む入力データに基づいて、１つのスタブ端部上の、入力データに定義されるすべての壁面で最終結果が達成されるまで、続いて次のスタブ端部に取り掛かるなど、すべてのスタブ端部について加工が完了するまで、動作する。ストラット１５は、材料の除去前に適正に位置決めされて、スタブ端部１９に仮留めされ、また別法として、ストラットは材料除去作業後に位置決めされて、各スタブ端部１９及び対応のストラット１５の端部エッジ３１〜３４間の接合部全体に沿って連続溶接が行われる。ストラットの外端部では、外側リング１４から内向きに突出したスタブ端部４１の間で同様の接合面が溶接される。このリング１４は通常、大きめの寸法にした後に材料加工を行う必要がない、たとえばＥＣＭによって小さい許容誤差で製造されることができる。しかしながら、原則的には本発明による同じ方法を、外側リング１４のスタブ端部にも適用することができる。
【国際調査報告】
2008500488.tif 000011
2008500488.tif 000012